(57)【特許請求の範囲】
【請求項１】
気密な筒状の本体（９）と、その本体（９）の一端部に気密に取り付けられた、試料挿入口（２４）を有する蓋（１０）からなり、前記本体（９）内に入りきらない大きさの生体試料の一部を前記試料挿入口（２４）を通して前記本体（９）内に入れたときに、その生体試料の外周全周にわたって気密に密着する環状の弾性パッキン（２９）を前記試料挿入口（２４）に設けた試料収集チャンバーにおいて、
前記蓋（１０）は、その外側面に内側に凹む段差部（２５）を前記試料挿入口（２４）近辺に沿って形成し、前記弾性パッキン（２９）の外周縁（２９ａ）を前記段差部（２５）の側壁（２８）に沿うように形成し、その弾性パッキン（２９）を前記段差部（２５）の側壁（２８）により位置決めし、環状の固定部材（３０）を前記段差部（２５）に嵌め込んで挟み込むことにより前記弾性パッキン（２９）を固定したことを特徴とする試料収集チャンバー。
【請求項２】
前記弾性パッキン（２９）がシリコンゴムからなる請求項１に記載の試料収集チャンバー。
【請求項３】
前記弾性パッキン（２９）の内周縁（２９ｂ）が円形、楕円形、長円形、卵形のいずれかに形成される請求項１又は２に記載の試料収集チャンバー。
【請求項４】
前記弾性パッキン（２９）は、前記固定部材（３０）から内側に突出する凸条（３２）で前記段差部（２５）の底面（２６）に押し付けられ、かつ前記段差部（２５）の底面（２６）から外側に突出する凸条（２７）で前記固定部材（３０）に押し付けられるようにした請求項１〜３のいずれかに記載の試料収集チャンバー。
【請求項５】
前記弾性パッキン（２９）は、環状の固定部材（３０）で挟み込んだ状態でビス（３３）により締付固定することにより着脱可能とし、前記弾性パッキン（２９）の内径寸法を本体（９）内に挿入する前記生体試料に応じて変更できるようにした請求項１〜４のいずれかに記載の試料収集チャンバー。
【発明の詳細な説明】
【技術分野】
【０００１】
この発明は、生体試料から発生する生体ガスを収集する試料収集チャンバーに関する。
【背景技術】
【０００２】
従来から、ラットなどの小動物や鶏の有精卵などの生体試料から発生する生体ガスを収集する試料収集チャンバーを用いたガス分析システムが確立されている。このガス分析システム５１としては、例えば、図９に示すように、マスフローコントローラー５２と、モレキュラーシーブス５３と、試料収集チャンバー５４と、温度調節器５５と、ガス分析装置５６と、これらを接続する移送管５７とで構成されたものが知られている（例えば、特許文献１  図１参照）。
【０００３】
このガス分析システム５１は、生体試料から発生する生体ガスを試料収集チャンバー５４に収集し、その生体ガスをキャリアガス５８によりガス分析装置５６に移送して、ガス分析装置５６により生体ガスを分析するものであり、さまざまな病気の診断に利用されることが期待されている。
【０００４】
上記試料収集チャンバー５４は、キャリアガス５８の流入口と流出口を設けた本体５９と、本体５９の試料挿入口５９ａを閉じる蓋６０とを有し、本体５９内に生体試料Ｓを入れて本体５９内を蓋６０で密封し、生体試料Ｓから発生する生体ガスを収集するようにしている。
【先行技術文献】
【特許文献】
【０００５】
【特許文献１】特開２００４−１３２８７９号公報
【発明の概要】
【発明が解決しようとする課題】
【０００６】
しかし、上記試料収集チャンバー５４では、生体試料が大きくて本体５９内に入りきらないもの、例えば、ヒトの腕などから発生する生体ガスを収集しようとすると、本体５９内を蓋６０で密封することができず、外部の空気などの不純物が本体５９内に入り込んだり、生体ガスが外部に流出したりしてしまう。そのため、ガス分析装置５６によって生体ガスを分析するときに、バックグラウンドノイズが増加したり、分析に十分な量の生体ガスを収集したりすることができず、ガス分析装置５６の分析結果に基づいて生体ガスの成分を同定することが困難になるという問題が生じる。
【０００７】
そこで、生体試料が大きくても本体５９内を蓋６０で密封できるように、試料収集チャンバー５４を大型化することが考えられるが、製造コストや運搬コストが増加したり設置スペースを確保したりする必要が生じ好ましくない。また、生体試料全体を本体５９内に入れる作業に時間がかかるという問題もある。
【０００８】
この発明の課題は、試料収集チャンバーの本体内に入りきらない大きさの生体試料であっても、簡単に本体内を気密に密閉することができるようにすることである。
【課題を解決するための手段】
【０００９】
上記課題を解決するために、この発明の試料収集チャンバーは、気密な筒状の本体と、その本体の一端部に気密に取り付けられた、試料挿入口を有する蓋よりなり、前記本体内に入りきらない大きさの生体試料の一部を前記試料挿入口を通して前記本体内に入れたときに、前記生体試料の外周全周にわたって気密に密着する環状の弾性パッキンを前記試料挿入口に設けたのである。
【００１０】
このようにすると、試料収集チャンバーの本体内に入りきらない大きさの生体試料であっても、その生体試料の一部を前記試料挿入口を通して前記本体内に入れるだけで、試料挿入口において弾性パッキンが生体試料の外周全周にわたって密着するので、簡単に本体内を気密に密閉することができる。生体試料としては、例えば、ヒトの腕や足、ヒト以外の動物の体の一部を挙げることができる。
【００１１】
前記弾性パッキンは、ゴムや柔軟性のある樹脂などで形成することができるが、シリコンゴムで形成すると好ましい。シリコンゴムは、耐熱性や耐寒性に優れているだけでなく、化学的に安定しており、生体試料や生体試料から発生するガスが触れても劣化しにくいからである。
【００１２】
前記弾性パッキンは、その内周縁を円形、楕円形、長円形、卵形のいずれかに形成すると好ましい。一般に、ヒトの腕や足、ヒト以外の動物の体の一部などの生体試料は、丸みを帯びた部分が多いので、弾性パッキンの内周縁が生体試料の外周全周にわたって密着しやすくなり、外部の空気などの不純物が本体内に入り込んだり、本体内の生体ガスが外部に流出したりしにくくなるからである。
【００１３】
前記蓋は、その外側面に内側に凹む段差部を前記試料挿入口近辺に沿って形成し、前記弾性パッキンの外周縁を前記段差部の側壁に沿うように形成し、その弾性パッキンを前記段差部の側壁により位置決めし、環状の固定部材を前記段差部に嵌め込むことにより前記弾性パッキンを固定することができる。
【００１４】
前記弾性パッキンは、前記固定部材から内側に突出する凸条で前記段差部の底面に押し付けられ、かつ、前記段差部の底面から外側に突出する凸条で前記固定部材に押し付けるようにすることができる。このようにすると、弾性パッキンは、密封性が向上し、かつ、外周部が屈曲した状態で固定されるので、外れにくくなる。
【００１５】
前記弾性パッキンは、環状の固定部材で挟み込んだ状態でビスにより締付固定することにより着脱可能とし、前記弾性パッキンの内径寸法を本体内に挿入する生体試料に応じて変更できるようにすることができる。このようにすると、弾性パッキンを変更するだけで、さまざまな生体試料の外周全周にわたって弾性パッキンを気密に密着させることができるので、さまざまな生体試料から発生する生体ガスを本体内に簡単に収集することができる。
【発明の効果】
【００１６】
この発明の試料収集チャンバーによれば、本体内に入りきらない大きさの生体試料であっても、生体試料の一部を試料挿入口を通して前記本体内に入れるだけで、試料挿入口において弾性パッキンが生体試料の外周全周にわたって密着するので、簡単に本体内を気密に密閉することができる。このため、外部の空気などの不純物が本体内に入り込んだり、生体ガスが外部に流出したりすることがなく、ガス分析装置による生体ガスの分析精度を向上させることができる。
【図面の簡単な説明】
【００１７】
【図１】この発明の実施形態の試料収集チャンバーを用いたガス分析システムを示す図
【図２】試料収集チャンバーの拡大縦断面図
【図３】試料収集チャンバーの試料挿入口近傍の拡大縦断面図
【図４】試料収集チャンバーの本体内に温度センサーを差し込む方法を示す蓋近傍の拡大縦断面図
【図５】試料収集チャンバーの一方の蓋の構成要素を示す分解縦断面図
【図６】試料収集チャンバーの第２の蓋を閉じた状態を示す第２の蓋近傍の拡大縦断面図
【図７】試料収集チャンバーの本体と設置台を示す斜視図
【図８】試料収集チャンバーの本体内にヒトの腕を入れた状態を示す斜視図
【図９】従来のガス分析システムを示す線図
【発明を実施するための形態】
【００１８】
この発明の実施形態の試料収集チャンバーを用いたガス分析システム１を図面に基づいて説明する。図１に示すように、ガス分析システム１は、キャリアガス２の流量を制御するマスフローコントローラー３と、キャリアガス２から水分や低分子化合物などの不純物を除去するモレキュラーシーブス４と、試料収集チャンバー５と、温度調節器６と、ガス分析装置７と、これらを接続するための移送管８とで構成され、試料から発生したガスを試料収集チャンバー５に収集し、そのガスをキャリアガス２によってガス分析装置７に移送し、試料から発生するガスを分析する。
【００１９】
キャリアガス２は、例えば、市販のボンベにより供給することができる。キャリアガス２の種類は、試料と反応せず、高純度でバックグラウンドノイズの少ないものであればいずれの気体であってもよい。例えば、高純度のヘリウムや高純度空気を挙げることができる。純度は、９９．９９９５％以上のグレードとしたものが好ましい。
【００２０】
ガス分析装置７は、例えば、ガスクロマトグラフィー装置や質量分析装置、あるいは、これらを組み合わせたものを用いることができる。質量分析装置としては、例えば、大気圧イオン化質量分析装置（APIMS）を挙げることができる。この大気圧イオン化質量分析装置は、近年使用されるようになり、超高感度分析が可能となっている（例えば、栗山克巳、蓮見啓二、小池譲治  著、クリーンテクノロジー、ｐ５１−５２、９月号、１９９７年に記載のＵＧ‐４１０型大気圧イオン化質量分析装置）。
【００２１】
移送管８は、試料や試料からのガスあるいはキャリアガス２と化学反応を起こしにくく、かつ素材そのものからの遊離化合物が少ないものであればいずれであってもよい。例えば、ステンレスＳＵＳ３１６等の光輝焼鈍管やテフロンパイプを挙げることができる。
【００２２】
試料収集チャンバー５は、図２に示すように、気密な筒状本体９と、その本体９の軸方向両端部に装着される蓋１０、１１からなり、例えば、設置台１２に保持されて用いられる。以下、試料収集チャンバー５についてさらに具体的に説明する。
【００２３】
本体９は、その全体が耐熱ガラスで形成されている。耐熱ガラスは、例えば、コーニング社のパイレックス（登録商標）ガラスを挙げることができる。パイレックスガラスは、温度変化による寸法変化が生じにくく、急加熱、急冷却に耐えることができるだけでなく、試料や試料からのガスあるいはキャリアガス２が付着しにくく、素材そのものからの遊離化合物も少なく好ましい。
【００２４】
本体９の外周面には、温度調節器６に接続されたシート状のシリコンラバーヒータ１３が巻かれている。シリコンラバーヒータ１３は、その巻き方向の両端部にＵ字状の留金具（図示せず）が設けられており、その両留金具に引っ掛けられたコイルばね（図示せず）の弾性によって本体９の外周面に固定されている。シリコンラバーヒータ１３の外面には、温度調節器６に接続された温度センサー１４が貼り付けられており、測定された温度情報が温度調節器６に送られるようになっている。これにより、温度センサー１４からの温度情報に基づいて、ヒータ１３の発熱量を制御可能となっている。
【００２５】
また、シリコンラバーヒータ１３の外面は、シート状の断熱材１５で覆われており、ヒータ１３から発生した熱が外部に容易に放出されないようにしている。断熱材１５は、その外面に巻かれたバンド１６により本体９の外周面に固定されている。断熱材１５の種類としては、繊維系断熱材や発泡系断熱材などいずれのものであってもよい。
【００２６】
蓋１０、１１は、本体９の端部に嵌め合される円形カップ状に形成されており、その内側面に本体９の外径よりも僅かに径の大きい断面円形の嵌合穴１７が形成されている。
【００２７】
嵌合穴１７の内面には、図３に示すように、円周方向に連続する断面コ字状のシール溝１８が形成されており、このシール溝１８にシリコンゴムで形成されたＯリング１９が装着されている。Ｏリング１９の内径寸法は、本体９の外径寸法よりも僅かに小さくしてある。これにより、蓋１０、１１は、その嵌合穴１７を本体９の端部に外嵌したときに、Ｏリング１９が本体９の外面に密着し、本体９内を気密に保持する。また、Ｏリング１９は、シリコンゴムで形成されているので、温度変化による寸法変化が生じにくく、本体９内の気密性を確保しやすい。
【００２８】
また、蓋１０、１１の外側面には、嵌合穴１７に連通する連通孔２０が円周方向に一定の間隔をおいて複数形成されている。各連通孔２０には、図３、図７に示すように、貫通孔２１ａを形成したジョイント２１がねじ係合されている。各蓋１０、１１のジョイント２１の１つには、キャリアガス２の流入口と、本体９内を還流したガス（キャリアガス２および生体試料から発せられた生体ガス）の流出口として使用するため、移送管８が接続される。移送管８は、図２に示すように、流入口として蓋１０の上部に接続し、流出口として蓋１１の下部に接続すると、本体９内に流入したキャリアガス２が本体９内で暖められたキャリアガス２や生体ガスと攪拌されながら本体９から流出するので、キャリアガス２が本体９内全体に行き渡りやすくなり、本体９内の生体ガスをキャリアガス２により効率的に移送することができ好ましい。
【００２９】
また、ジョイント２１のうちの少なくとも１つには、図２、図４に示すように、温度センサー２２が通され、本体９内の温度を測定できるようになっている。残りのジョイント２１も、必要に応じて使用することができ、温度センサー２２を本体９内の任意の箇所に複数設置するために利用してもよい。なお、ジョイント２１を利用しない場合は、図２、図３に示すように、ジョイント２１の貫通孔２１ａにメクラ栓２３を差し込んで密封しておく。
【００３０】
また、一方の蓋１０の外径側には、円周方向に一定の間隔をおいて４箇所、試料収集チャンバー５を設置台１２に固定するためのビス取付穴１０ａが設けられている（図７参照）。
【００３１】
温度センサー２２は、温度調節器６に接続されており、測定された温度情報が温度調節器６に送られるようになっている。これにより、温度調節器６は、ヒータ１３の発熱量を制御することにより、本体９内を目的の温度（例えば、５０℃）に設定可能となっており、本体９内の温度の外気温による影響を小さくしている。なお、温度調節器６は、ヒータ１３のセンサー１４からの温度情報に基づいて、本体９内を目的の温度に設定するようにしてもよい。
【００３２】
また、温度調節器６は、本体９内面に付着した脂質や有機化合物などを加熱により脱離できるようにヒータ１３で本体９内を加熱（例えば、約１７０℃まで）できるようにしてもよい。このとき、上記と同様にセンサー１４とセンサー２２の温度情報に基づいて、温度調節器６で制御が行なわれる。
【００３３】
両蓋１０、１１のうちの一方の蓋１０は、図３に示すように、その外側面に嵌合穴１７の径よりも径の小さい断面円形の試料挿入口２４が嵌合穴１７と連通するように形成されている。また、一方の蓋１０の外側面には、内側に凹む段差部２５が試料挿入口２４の外周近辺に沿って全周にわたって形成されている。この段差部２５には、その底面２６の内径側から外側に突出する環状の凸条２７が設けられている。この凸条２７の突出寸法は、段差部２５の側壁２８の寸法よりも短くなっている。これらの段差部２５の側壁２８、その底面２６及び凸条２７によって断面四角形状の周溝が形成されている。
【００３４】
上記の両蓋１０、１１は、ポリテトラフルオロエチレン（テフロン）で形成されており、生体試料や生体試料からの生体ガスあるいはキャリアガス２が蓋１０、１１に付着しにくく、素材からの遊離化合物も少なくしている。
【００３５】
また、一方の蓋１０には、試料挿入口２４に環状の弾性パッキン２９が取り付けられている。弾性パッキン２９は、ゴムなどの弾性のある材料で形成することができ、例えば、シリコンゴムで形成すると好ましい。シリコンゴムは、耐熱性や耐寒性に優れており、温度変化による寸法変化が生じにくいだけでなく、化学的に安定しており、試料や試料からのガスあるいはキャリアガス２が触れても劣化しにくいからである。
【００３６】
弾性パッキン２９は、図３、図５に示すように、その外周部２９ａが段差部２５の側壁２８の全周に沿うように形成されており、蓋１０の段差部２５の側壁２８によって位置決めされるようになっている。弾性パッキン２９の内周縁２９ｂは、試料挿入口２４の径よりも径の小さいほぼ円形に形成されており、全周にわたって試料挿入口２４から内径側に突出している。また、弾性パッキン２９の内周縁２９ｂの形状は、本体９内に挿入する生体試料に応じて決定することができ、例えば、生体試料がヒトの前腕である場合は、ヒトの前腕に合った形状、例えば、楕円形、長円形、卵形としてもよい。このようにすると、ヒトの前腕の断面形状と弾性パッキン２９の内周縁２９ｂの形状がほぼ同じになるので、弾性パッキン２９の弾性力がヒトの前腕の外周全周にわたって均等に作用した状態となり、弾性パッキン２９がヒトの前腕になじみやすくなる。
【００３７】
弾性パッキン２９の厚さは、例えば、１ｍｍとすることができるが、２ｍｍ、３ｍｍと厚くしたり、複数枚重ねたりしてもよい。これにより、弾性パッキン２９の弾性力や柔軟性を調節することができる。また、弾性パッキン２９は、材料を変更することで弾性力や柔軟性を調節してもよい。この弾性パッキン２９は、段差部２５の側壁２８により位置決めされた状態で環状の固定部材３０を段差部２５に嵌め込んで挟み込むことにより固定される。この固定部材３０は、その内側面に段差部２５にすきまなく嵌り込む環状の嵌合部３１が形成されており、その嵌合部３１の外径側に内側に突出する凸条３２が全周に形成されている。凸条３２の幅は、段差部２５の底面２６よりも狭くしておく。これにより、弾性パッキン２９は、固定部材３０を段差部２５に嵌め込んだときに、固定部材３０の凸条３２で段差部２５の底面２６に押し付けられるとともに、段差部２５の凸条２７で固定部材３０の内面に押し付けられるので、密封性を向上させると同時に、外周部２９ａが屈曲した状態となり外れにくくなっている（図６参照）。
【００３８】
また、固定部材３０は、その内周面３０ａが試料挿入口２４の径と同径の円形に形成され、内周面３０ａの径を試料挿入口２４の径に一致させた状態でビス３３により締付固定されている。これにより、弾性パッキン２９が着脱可能となり、弾性パッキン２９の内周縁２９ｂの内径寸法は、本体９内に挿入する生体試料の外周全周にわたって圧接して密着し、本体９内を気密に密封できるように適宜変更することができる。生体試料がヒトの前腕である場合は、弾性パッキン２９は、太い腕や細い腕の断面寸法よりも内周縁２９ｂの内径寸法を若干小さくしたものを揃えておくとよい。このようにすると、弾性パッキン２９を変更するだけで、太い腕や細い腕の外周全周にわたって気密に密着させることができるので、多くのヒトの前腕から発生する生体ガスを本体９内に簡単に収集することができるからである。なお、固定部材３０は、ポリテトラフルオロエチレン（テフロン）により形成されている。
【００３９】
ビス３３は、生体試料を本体９内から抜き出すときに、弾性パッキン２９が容易に外れないようにできるだけ多く設けることが好ましい。この実施形態では、図７に示すように、ビス３３は、蓋１０の連通孔２０に嵌め込んだジョイント２１と円周方向に交互に位置するように一定の間隔をおいて４箇所設けている。なお、ビス３３は、ポリテトラフルオロエチレン（テフロン）やポリエーテルエーテルケトン（ＰＥＥＫ樹脂）などの樹脂で形成したものを用いることができる。
【００４０】
図５、図６に示すように、固定部材３０の内周面３０ａには、第２の蓋３４を嵌め込むことができるようになっている。第２の蓋３４は、内周面３０ａの径よりも径の大きい大径部３４ａと、内周面３０ａの径よりも僅かに径の小さい小径部３４ｂとからなり、小径部３４ｂにシリコンゴムで形成されたＯリング３５が装着されている。これにより、第２の蓋３４は、その小径部３４ｂを固定部材３０の内周面３０ａに挿入したときに、Ｏリング３５が内周面３０ａ全周にわたって密着し、本体９内を気密に密封することができるようになっている。また、Ｏリング３５は、シリコンゴムで形成されているので、温度変化による寸法変化が生じにくく、本体９内の気密性を確保しやすい。
【００４１】
設置台１２は、図７に示すように、長方形状に形成された底板３６と、底板３６の長手方向両端部に設けたガラス受３７、３７とからなる。底板３６には、その長手方向一端部に断面円形の穴３８が複数形成されており、ジョイント２１から外したメクラ栓２３を穴３８に差し込んでおくことができる。
【００４２】
両ガラス受３７、３７は、互いに平行に対向しながら上方に突出しており、その突出端部が本体９の外周に沿うような断面Ｕ字状に形成された支持部３７ａとなっている。これにより、設置台１２は、図７、図８に示すように、本体９の両端部外周を支持部３７ａに載せた状態で、本体９を横向きに保持するようにしている。また、一方のガラス受３７の外側面には、支持部３７ａに沿ってビス取付穴３９が等間隔に３箇所形成されている。これにより、一方の蓋１０のビス取付穴１０ａを支持部３７ａのビス取付穴３９に一致させた状態でビス４０をビス取付穴１０ａ、３９に差し込んで締付固定することにより、試料収集チャンバー５をガラス受３７に固定できるようになっている。
【００４３】
上記のように構成された試料収集チャンバー５は、例えば、次のようにして使用する。
【００４４】
まず、試料収集チャンバー５の本体９内を温度調節器６により約５０℃に設定しておく。その後、試料収集チャンバー５から第２の蓋３４を外し、図３、図８に示すように、ヒトの前腕Ａを蓋１０の試料挿入口２４に通して本体９内に入れる。このとき、試料挿入口２４において弾性パッキン２９の内周縁２９ｂがヒトの前腕Ａの外周全周にわたって弾性により気密に密着した状態となり本体９内が気密に密閉され、ヒトの前腕Ａから発生した生体ガスが本体９内に収集される。
【００４５】
また、このとき、図２に示すように、Ｕ字状の載置部が形成された腕枕４１を本体９内の底面に設置しておくと、ヒトの前腕Ａの手首部分を腕枕４１に載せておくことができるので、ヒトの前腕Ａを本体９内に入れた状態で固定しやすくなり、本体９内の気密性を向上させることができる。この場合、腕枕４１は、ヒトの前腕Ａの長さに応じて設置場所を変更できるようにしておくと好ましい。なお、腕枕４１は、ポリテトラフルオロエチレン（テフロン）で形成することにより、ヒトの前腕Ａや生体ガスあるいはキャリアガス２を付着しにくくするとともに、素材からの遊離化合物も少なくしておく。
【００４６】
次に、この状態で、キャリアガス２の滴量や本体９内の容積に依存した所要時間、キャリアガス２を流し続けて本体９内の生体ガスをガス分析装置７に移送する。これにより、生体ガスがガス分析装置７により分析される。
【００４７】
試料収集チャンバー５は、ヒトの前腕Ａを蓋１０の試料挿入口２４を通して本体９内に入れるだけで、弾性パッキン２９の内周縁２９ｂが外周全周にわたってヒトの前腕Ａに密着するので、簡単に本体９内を気密に密封することができる。このため、外部の空気などの不純物が本体９内に入り込んだり、生体ガスが外部に流出したりすることがなく、ガス分析装置７による生体ガスの成分の同定を容易にすることができる。
【００４８】
上記実施形態では、生体試料としてヒトの前腕Ａを用いたが、これに限定されず、本体９内に入りきらない生体試料であればいずれでも用いることができる。例えば、ヒトの足やヒト以外の動物の体の一部であってもよい。この場合、弾性パッキン２９の内周縁２９ｂは、ヒトの足やヒト以外の動物の体の一部を試料挿入口２４を通して本体９内に入れたときに、そのヒトの足やヒト以外の動物の体の一部に全周にわたって密着できる形状にしておく必要がある。いずれの場合も、キャリアガス２は、試料挿入口２４側から流入させるのが好ましい。
【００４９】
また、試料収集チャンバー５は、従来例のような本体９内に入りきる生体試料、例えば、ラットなどの小動物や鶏の有精卵から発生する生体ガスを収集するために用いてもよい。この場合は、図６に示すように、第２の蓋３４で試料挿入口２４を閉じ、本体９内を密閉した状態で生体ガスを収集することができる。
【符号の説明】
【００５０】
５        試料収集チャンバー
９        本体
１０      蓋
２４      試料挿入口
２５      段差部
２６      底面
２７      凸条
２８      側壁
２９      弾性パッキン
２９ａ    外周部
２９ｂ    内周縁
３０      固定部材
３２      凸条
３３      ビス
Ａ        ヒトの前腕
【図１】
0005461316.tif 000002
【図２】
0005461316.tif 000003
【図３】
0005461316.tif 000004
【図４】
0005461316.tif 000005
【図５】
0005461316.tif 000006
【図６】
0005461316.tif 000007
【図７】
0005461316.tif 000008
【図８】
0005461316.tif 000009
【図９】
0005461316.tif 000010